(57)【要約】【課題】子供が迷子になった場合であっても、そのための人員を特に要することなく、親が子供を捜すことを容易に行える技術を提供する。【解決手段】移動体用電子タグ、複数の携帯用通信端末、設置型通信端末、サーバを備えた迷子対策システムであって、前記携帯用通信端末から収集した前記移動体用電子タグの端末情報、前記携帯用通信端末及び前記設置型通信端末から収集した位置情報を元に保護者が携帯する前記携帯用通信端末と前記被保護者が携帯する移動体用電子タグとを結ぶ経路案内情報を作成し、前記携帯用通信端末から迷子情報検索依頼を受けた場合、前記経路案内情報を保護者が携帯する前記携帯用通信端末に送信、通知する。【選択図】図１
2017199105.tif 000002
【特許請求の範囲】
【請求項１】
移動体用電子タグ、第１の携帯用通信端末、第２の携帯用通信端末、設置型通信端末、サーバを備えた迷子対策システムであって、
前記移動体用電子タグは、
当該移動体用電子タグの端末情報を、施設エリアを自由に移動する保護者が携帯する前記第１の携帯用通信端末及び施設スタッフが携帯する前記第２の携帯用通信端末、前記設置型通信端末に送信し、
前記第１の携帯用通信端末、前記第２の携帯用通信端末及び前記設置型通信端末は、
前記移動体用電子タグから送信される端末情報に反応する検知範囲内において、当該端末情報を受信するアプリケーション機能を有し、
前記第１の携帯用通信端末は、
前記移動体用電子タグから送信される端末情報に反応する検知範囲内において、当該端末情報を受信し、
前記サーバは、
通信インターフェース装置、記憶装置、演算装置、を有し、
前記通信インターフェース装置は、
前記第１の携帯用通信端末、前記第２の携帯用通信端末、前記設置型通信端末、との間で通信を行うインターフェース部を含み、
前記記憶装置は、
前記移動体用電子タグと前記第１の携帯用通信端末及び前記第２の携帯用通信端末とをマッチングするマッチング情報及び前記移動体用電子タグの端末情報、前記第２の携帯用通信端末及び前記設置型通信端末の位置情報を登録する記憶部を含み、
前記演算装置は、
前記移動体用電子タグの端末情報と前記第２の携帯用通信端末、前記設置型通信端末の位置情報を元に前記移動体用電子タグの位置迄の経路案内情報を作成し、
前記携帯用通信端末から迷子情報検索依頼を受けた場合、前記経路案内情報を前記第１の携帯用通信端末に送信し通知する
ことを特徴とする迷子対策システム。
【請求項２】
請求項１に記載された迷子対策システムにおいて、
前記サーバは、さらに、
アトラクション優先入場券発券機を含むアトラクション優先入場券発券システムと連携し、
前記第１の携帯用通信端末にて前記アトラクション優先入場券発券システムからアトラクション優先入場予約情報を受信したとき、当該アトラクション優先入場券情報を含むチェックイン情報を受信し、当該チェックイン情報に含まれる入場時刻を、前記経路案内情報と併せて前記第１の携帯用通信端末に送信、通知する
ことを特徴とする迷子対策システム。
【請求項３】
請求項１又は２に記載された迷子対策システムにおいて、
前記サーバは、さらに、
施設エリア内において、商品の電子注文を受付ける機能を有するお土産販売システムと連携し、
前記第１の携帯用通信端末にて前記商品の二次元コードをチェックしたとき、前記第１の携帯用通信端末の個人情報と関連付けされた当該二次元コードに含まれるチェックイン情報に含まれるネット注文内容を前記経路案内情報と併せて前記第１の携帯用通信端末へ送信、通知する
ことを特徴とする迷子対策システム。
【発明の詳細な説明】
【技術分野】
【０００１】
本発明は、迷子対策システムに関し、例えば、商業施設やアミューズメントパークなどに適用して好適な迷子対策システムに関する。
【背景技術】
【０００２】
商業施設等においては、迷子がでた場合、館内放送等による保護者への案内が行われているが、そのための人員が必要である。
係る課題に対する解決方法の一つとして、特開２００７−１２２１２３号公報に記載された技術が提案されている。
この公報には「第１の無線通信機と第１のアラーム発生手段３０３を備えた親機と、第２の無線通信機と第２のアラーム発生手段３０４を備えた子機とで通信を行い、親機は子機側からの通信信号から子機の距離を測定して距離によって第１のアラーム発生手段３０３のアラーム種別を変えることで迷子との距離が段階的に把握できる。」（要約参照）という記載がある。
【先行技術文献】
【特許文献】
【０００３】
【特許文献１】特開２００７−１２２１２３号公報
【発明の概要】
【発明が解決しようとする課題】
【０００４】
特許文献１に係る発明は、迷子を未然に防止するものであって、親機（親）と子機（子供）との間で両者間の距離を段階的に把握し、親が子供の視覚の範囲に留めるものである。
しかし、特許文献１では、仮に、親機を携帯する親が各施設におけるレジャーや買い物などに夢中になって、親機を携帯する親と子機を携帯する子供との距離が必要以上離れ、親が子供の視覚の範囲を外れ、万一、子供が迷子になった場合における対策、つまり、親が子供を捜す上での対策までについては特に考慮されていない。
親が何の手がかりもなく、子供を捜し廻って見つけだすことは容易でなく、そのための時間、レジャーや買い物のための時間ロスとなるのみならず、親が迷子の子供を捜しだすまで、迷子の子供は、その分だけ不安な時間が長引く問題がある。
【０００５】
そこで、本発明では、仮に親と子供との距離が必要以上離れて、子供が迷子になった場合であっても、そのための人員を特に要することなく、親が子供を捜すことを容易に行える技術を提供することを目的とする。
【課題を解決するための手段】
【０００６】
上記課題を解決するために、代表的な本発明の迷子対策システムの一つは、
移動体用電子タグ、第１の携帯用通信端末、第２の携帯用通信端末、設置型通信端末、サーバを備えた迷子対策システムであって、
前記移動体用電子タグは、
当該移動体用電子タグの端末情報を、施設エリアを自由に移動する保護者が携帯する前記第１の携帯用通信端末及び施設スタッフが携帯する前記第２の携帯用通信端末、前記設置型通信端末に送信し、
前記第１の携帯用通信端末、前記第２の携帯用通信端末及び前記設置型通信端末は、
前記移動体用電子タグから送信される端末情報に反応する検知範囲内において、当該端末情報を受信するアプリケーション機能を有し、
前記第１の携帯用通信端末は、
前記移動体用電子タグから送信される端末情報に反応する検知範囲内において、当該端末情報を受信し、
前記サーバは、
通信インターフェース装置、記憶装置、演算装置、を有し、
前記通信インターフェース装置は、
前記第１の携帯用通信端末、前記第２の携帯用通信端末、前記設置型通信端末、との間で通信を行うインターフェース部を含み、
前記記憶装置は、
前記移動体用電子タグと前記第１の携帯用通信端末及び前記第２の携帯用通信端末とをマッチングするマッチング情報及び前記移動体用電子タグの端末情報、前記第２の携帯用通信端末及び前記設置型通信端末の位置情報を登録する記憶部を含み、
前記演算装置は、
前記移動体用電子タグの端末情報と前記第２の携帯用通信端末、前記設置型通信端末の位置情報を元に前記移動体用電子タグの位置迄の経路案内情報を作成し、
前記携帯用通信端末から迷子情報検索依頼を受けた場合、前記経路案内情報を前記第１の携帯用通信端末に送信し通知する
ことを特徴とする。
【０００７】
前記サーバは、さらに、
アトラクション優先入場券発券機を含むアトラクション優先入場券発券システムと連携し、
前記第１の携帯用通信端末にて前記アトラクション優先入場券発券システムからアトラクション優先入場予約情報を受信したとき、当該アトラクション優先入場券情報を含むチェックイン情報を受信し、当該チェックイン情報に含まれる入場時刻を、前記経路案内情報と併せて前記第１の携帯用通信端末に送信、通知することを特徴とする。
【０００８】
前記サーバは、さらに、
施設エリア内において、商品の電子注文を受付ける機能を有するお土産販売システムと連携し、
前記第１の携帯用通信端末にて前記商品の二次元コードをチェックしたとき、前記第１の携帯用通信端末の個人情報と関連付けされた当該二次元コードに含まれるチェックイン情報に含まれるネット注文内容を前記経路案内情報と併せて前記第１の携帯用通信端末へ送信、通知することを特徴とする。
【発明の効果】
【０００９】
本発明によれば、被保護者（子供）の迷子時に保護者（親）が被保護者（子供）を捜すことを容易に行える。
上記した以外の課題、構成及び効果は、以下の実施形態の説明により明らかにされる。
【図面の簡単な説明】
【００１０】
【図１】図１は、本発明の迷子対策システムの概要を説明する図。
【図２】図２は、本発明の迷子対策システムを構成するサーバの構成例を示すブロック図。
【図３】図３は、本発明の迷子対策シーケンス及び処理手順を説明するフローチャート。
【図４】図４は、本発明の迷子対策システムをアトラクション優先入場券発券システムと連携した場合における迷子対策シーケンス及び処理手順を説明するフローチャート。
【図５】図５は、本発明の迷子対策システムをアトラクション優先入場券発券システムと連携した場合の他の実施例における迷子対策シーケンス及び処理手順を説明するフローチャート。
【図６】図６は、本発明の迷子対策システムをお土産販売システムと連携した場合におけるシーケンス及び処理手順を説明するフローチャート。
【発明を実施するための形態】
【００１１】
以下、本発明の実施形態について図面を参照して説明する。本例では、被保護者として、子供、保護者として親を想定して説明する。
【実施例】
【００１２】
図１は、本発明の迷子対策システムの概要を説明する図である。
【００１３】
迷子対策システムは、移動体用電子タグ１、携帯用通信端末２、通信端末４（携帯用通信端末４１、設置型通信端末４２）、サーバ５、を有する。
【００１４】
移動体用電子タグ１は、例えば、被保護者（子供）が施設エリアにおいて、携帯するものであり、当該移動体用電子タグ１の端末情報を通信端末４、つまり、携帯用通信端末２（保護者の親が携帯）及び携帯用通信端末４１（施設スタッフや第三者が携帯）、設置型通信端末４２（施設エリアに固定的に設置）に対して送信する機能を有する。端末情報の送信は、例えば、移動体用電子タグ１と通信端末４が所定の距離範囲にあるとき、移動体用電子タグ１から自動的に通信端末４に対して発信するビーコンを利用する。
また、移動体用電子タグ１は、携帯用通信端末２からのアクション通知（例えば、発光・変色等の指示）を受けたとき、ビーコンの発光を変色する機能を有する。
施設スタッフは、設置型通信端末３を通じてビーコンの発光・変色を認識でき、施設エリアで迷子が発生したことを把握することができ、保護者による迷子捜査に協力することが可能となる。
【００１５】
携帯用通信端末２は、例えば、保護者（親）が携帯する端末であり、特定の移動体用電子タグ１と親子関係にあり、両者が所定の距離範囲内にあるとき、当該特定の移動体用電子タグ１から送信される端末情報を受信する機能を有するアプリケーションを搭載した通信端末、などである。
【００１６】
携帯用通信端末２と移動体用電子タグ１との間の端末情報の送受信は、両者の距離が所定範囲を超えた場合、断たれる。又は、移動体用電子タグ１に迷子発生を通知する機能を持たせ、移動体用電子タグ１から携帯用通信端末２に対して迷子通知を積極的に行ってもよい。
【００１７】
このように端末情報の送受断、又は迷子発生通知により、携帯用通信端末２を携帯する保護者（親）は、移動体用電子タグ１を身に付けた被保護者（子供）が迷子になったことを把握することができる。
また、携帯用通信端末２は、迷子発生を検知したとき、親子関係にある移動体用電子タグ１に対してアクション通知（発光・変色等の指示）する機能、及びサーバ５に対して迷子の位置情報検索依頼要求情報送信する機能を有する。
【００１８】
通信端末４は、例えば、施設スタッフや第三者が携帯する携帯用通信端末４１、施設エリア内の複数個所に設置された設置型通信端末４２を含み、移動体用電子タグ１から送信される端末情報を受信し、当該端末情報をサーバ５に転送又は送信する機能を有する。
【００１９】
サーバ５は、親子関係にある携帯用通信端末２／移動体用電子タグ１のマッチング情報、設置型通信端末４２の配置情報、移動体用電子タグ１の端末情報やチェックイン情報、携帯用通信端末４１の位置情報、などを管理するものであり、携帯用通信端末４１や設置型通信端末４２などにて受信した自身の位置情報及び移動体用電子タグ１の端末情報やチェックイン情報を収集し、被保護者の迷子や施設スタッフの位置を管理する機能を有する。
【００２０】
また、サーバ５は、移動体用電子タグ１の端末情報と携帯用通信端末４１や設置型通信端末４２の位置情報を元に迷子位置（移動体用電子タグ１）迄の経路案内情報作成し、携帯用通信端末２からの迷子情報検索依頼要求に基づいて当該経路案内情報を携帯用通信端末２に対して送信、通知する機能を有する。このとき、経路案内情報に施設スタッフの位置情報も含めるとよい。これにより、保護者の親が被保護者の迷子を捜すとき、当該迷子の近辺にいるスタッフの協力を仰ぐことができる。
【００２１】
また、サーバ５は、アトラクション優先入場券発券システム６及びお土産販売システム７と連携し、当該システムから得られる情報を収集、管理し、当該収集した情報を携帯用通信端末２に対して経路案内情報と共に送信、通知する機能を有する。
【００２２】
アトラクション優先入場券発券システム６は、アトラクション優先入場券発券機６１に設置された設置型通信端末（図示せず）に携帯用通信端末２をタッチ、又は移動体用電子タグ１をタッチしてアトラクションを優先的に利用できるアトラクション優先入場の予約を行ったとき、この予約情報（アトラクション優先予約情報）をサーバ５に送信する機能を有する。
【００２３】
このアトラクション優先予約情報を受けたサーバ５は、当該アトラクション優先予約情報を経路案内情報と併せて携帯用通信端末２に送信する。
【００２４】
携帯用通信端末２を携帯する保護者は、迷子を捜す上で、このアトラクション優先予約情報に含まれるアトラクションや予約時刻、などを参考にできる。
【００２５】
お土産販売システム７は、お土産販売所にて販売される商品（お土産）の値札などに付与されたコード、例えば、お土産販売箇所、値段、などの情報を含むバーコード、二次元コード（ＱＲコード（登録商標）等）にタッチしてコード情報を読み取ったとき、当該コード情報の中からネット注文したい商品情報のみを、携帯用通信端末２の個人情報と関連付けてサーバ５に送信する機能を有する。
【００２６】
サーバ５へ送信する情報は、携帯用通信端末２の表示部にチェック商品を一覧表示し、当該一覧表示の中から購買したい商品、数、などを選択してネット注文ができるようにする。
【００２７】
このネット注文を受けたサーバ５は、当該ネット注文の商品を携帯用通信端末２の個人情報（住所、名前など）を元に購入者本人の自宅に配送するように構成する。
【００２８】
図２は、本発明の迷子対策システムを構成するサーバ５の構成例を示すブロック図である。
【００２９】
サーバ５は、通信インターフェース装置５１、記憶装置５２、演算装置５３、を有する。
【００３０】
通信インターフェース装置５１は、設置型通信端末４２や保護者が携帯する携帯用通信端末２、施設スタッフが携帯する携帯用通信端末４１との間の通信を行う装置である。
【００３１】
記憶装置５２は、設置型通信端末４２や携帯用通信端末４１から収集した各情報（位置情報、アトラクション優先入場券予約情報、商品情報など）を登録するデータベース５２１を有する。
【００３２】
演算装置５３は、各種の情報を収集する情報収集部５３１、経路案内情報作成部５３２、通知部５３３、ネット注文受注部５３４、を有する。
【００３３】
情報収集部５３１は、移動体用電子タグ１から送信される位置情報、アトラクション優先入場券予約情報や商品情報、などを収集する。
【００３４】
経路案内情報作成部５３２は、移動体用電子タグ１から通信端末４を介して収集した位置情報を元に被保護者（迷子）が位置する場所までの経路を示す経路案内情報を作成する。
【００３５】
通知部５３３は、携帯用通信端末２から迷子情報検索依頼要求を受けたとき、前記経路案内情報作成部５３２にて作成した経路案内情報及びアトラクション優先入場券予約情報に含まれる時刻情報などを携帯用通信端末２に対して送信、通知する。
【００３６】
ネット注文受注部５３４は、携帯用通信端末２からのネット注文を受注し、携帯用通信端末２を携帯する本人の自宅に配送手配処理する。
【００３７】
図３は、本発明の迷子対策シーケンス及び処理手順を説明するフローチャートである。
すなわち、移動体用電子タグ１と携帯用通信端末２と携帯用通信端末４１と設置型通信端末４２、サーバ５間のシーケンス及び各端末及びサーバにおける処理を説明するフローチャートである。
【００３８】
図３のフローチャートに基づく動作は以下のとおりである。
ステップＳ１０２：
移動体用電子タグ１は、端末位置情報を携帯用通信端末２、通信端末４の携帯用通信端末４１、設置型通信端末４２に対して送信する。このとき、設置型通信端末４２は、移動体用電子タグ１の端末情報を受け、当該端末情報をサーバ５に対して送信する。
【００３９】
ステップＳ１０３：
ここで、移動体用電子タグ１と携帯用通信端末２が所定の距離以上離れ、つまり、移動体用電子タグ１から送信する端末情報が届かない距離、例えば、数メートルから数十メートルまで離れると、移動体用電子タグ１と携帯用通信端末２との間の端末情報の送受信が断たれる。
これにより、携帯用通信端末２側では、移動体用電子タグ１を携帯した被保護者が迷子になったことを把握することができる。
ここで、移動体用電子タグ１と携帯用通信端末２との間の端末情報の送受信が断たれたとき、移動体用電子タグ１側から携帯用通信端末２側に迷子発生を示す情報を通知するようにしてもよい。
【００４０】
ステップＳ１０４：
後述するステップＳ２０２にて、アクション通知（ビーコンの発光・変色などの指示）を受けた移動体用電子タグ１は、ビーコンの色を変えたビーコンを発光する。この発光・変色により、被保護者（迷子）が迷子になったことを、施設スタッフも知ることができる。
【００４１】
ステップＳ２０１：
携帯用通信端末２は、移動体用電子タグ１を携帯した被保護者（子供）が位置情報の検知範囲外に出て、迷子になったことを検知する。
【００４２】
ステップＳ２０２：
ステップＳ２０１にて、迷子通知を受けると、携帯用通信端末２は、迷子フラグを立て、移動体用電子タグ１に対してアクション指示（ビーコンの発光・変色通知）を行う。
【００４３】
ステップＳ２０３：
携帯用通信端末２は、サーバ５側に対して、迷子の位置情報調検索依頼要求情報を送信し、迷子の位置情報を調べてもらう。
【００４４】
ステップＳ４１１：
携帯用通信端末４１は、移動体用電子タグ１の端末情報を受け、携帯用通信端末４１の位置情報及び受信した移動体用電子タグ１の端末情報をサーバ５に対して送信する。
【００４５】
ステップＳ４２１：
施設スタッフは、設置型通信端末４２において、上述したステップＳ１０４により、ビーコンの発光・変色の認識が可能となる。
【００４６】
ステップＳ５０１：
サーバ５は、携帯用通信端末４１から送信された移動体用電子タグ１の端末情報及び携帯用通信端末４１の位置情報、などを受信し、記憶装置５２のデータベース５２１に登録する。
【００４７】
ステップＳ５０２：
サーバ５は、移動体用電子タグ１の端末情報と携帯用通信端末４１や設置型通信端末４２の位置情報などを元に迷子位置迄の経路案内情報（誘導ガイダンスなど）を作成する。
【００４８】
ステップＳ５０３：
サーバ５は、ステップＳ２０３による携帯用通信端末２からの迷子の位置情報検索依頼情報を受けたとき、ステップＳ５０２にて作成した経路案内情報を携帯用通信端末２に送信する。
この経路案内情報には、移動体用電子タグ１から送信された端末情報及び携帯用通信端末４１や設置型通信端末４２から送信される施設スタッフの位置情報を含むとよい。これにより、スタッフによる迷子がいる現場へのフォローに活用することができる。
【００４９】
以上のステップにより、保護者（親）を被保護者（子供）がいる場所まで迅速に誘導することができる。
【００５０】
図４は、本発明の迷子対策システムをアトラクション優先入場券発券システム６と連携した場合における迷子対策シーケンス及び処理手順を説明するフローチャートである。
【００５１】
すなわち、アトラクション優先入場券発券システム６と連携して、携帯用通信端末２とアトラクション優先入場券発券機６１にて発行したアトラクション優先入場に関する入場券情報（含入場時刻、入場券番号）をサーバ５に送信する通信端末（図示せず）を備え、サーバ５にて、当該入場券情報における入場時刻を経路案内情報と併せて携帯用通信端末２に通知するフローチャートである。
【００５２】
ステップＳ２０４：
携帯用通信端末２は、入場券情報をサーバ５に送信する。
【００５３】
ステップＳ６２１：
アトラクション優先入場券発券システム６は、アトラクション優先入場券発券機６１に設置された通信端末（図示せず）に携帯用通信端末２をタッチすると、アトラクション優先入場予約情報をサーバ５に送信する。
【００５４】
ステップＳ５０４：
サーバ５は、携帯用通信端末２と入場券情報を連携（紐付）し、記憶装置５２のデータベース５２１に登録する。
【００５５】
ステップＳ５０５：
サーバ５は、携帯用通信端末２とアトラクション優先入場予約情報を連携（紐付）し、記憶装置５２のデータベース５２１に登録する。
【００５６】
ストップＳ５０６：
サーバ５は、図３におけるステップＳ２０３にて迷子の位置情報検索依頼要求情報を受けたとき、アトラクション優先入場時刻（ファストパスの時刻）・アトラクションまでの経路案内情報を携帯用通信端末２に送信、通知する。
【００５７】
図５は、本発明の迷子対策システムをアトラクション優先入場券発券システムと連携した場合の他の実施例における迷子対策シーケンス及び処理手順を説明するフローチャートである。
【００５８】
ステップＳ２０４：
携帯用通信端末２は、入場券情報（入場チケット情報）をサーバ５に送信する。
【００５９】
ステップＳ６２２：
アトラクション優先入場券発券システム６は、アトラクション優先入場券発券機６１に設置された通信端末（図示せず）に移動体用電子タグ１をタッチしてアトラクション優先入場予約を行うと、アトラクション優先入場予約情報をサーバ５に送信する。
【００６０】
ステップＳ５０７：
サーバ５は、携帯用通信端末２と移動体用電子タグ１と入場券情報をセットとして連携（紐付）し、記憶装置５２のデータベース５２１に登録する。
【００６１】
ステップＳ５０８：
サーバ５は、アトラクション優先入場予約情報を受信し、携帯用通信端末２とアトラクション優先入場予約情報を連携（紐付）し、記憶装置５２のデータベース５２１に登録する。
【００６２】
ステップＳ５０９：
サーバ５は、図３におけるステップＳ２０３にて、迷子の位置情報検索依頼要求情報を受けたとき、アトラクション優先入場時刻（ファストパスの時刻）・アトラクションまでの経路案内情報を携帯用通信端末２に送信、通知する。
【００６３】
図６は、本発明の迷子対策システムをお土産販売システムと連携した場合におけるシーケンス及び処理手順を説明するフローチャートである。
【００６４】
ステップＳ２１１：
携帯用通信端末２にて商品（ＱＲコード）チェックする。
【００６５】
ステップＳ２１２：
携帯用通信端末２は、商品チェックした商品を表示部に一覧表示する。
【００６６】
ステップＳ２１３：
携帯用通信端末２は、一覧表示された商品の中から購入したい商品を指定・注文したとき、当該商品のネット注文と共に個人情報（氏名、配送先など）をサーバ５に対して送信する。
【００６７】
ステップＳ５１１：
サーバ５は、ネット注文を受けると、買い物リストを作成し、お土産販売システム７の関係者に通知する。
【００６８】
ステップＳ７１１：
お土産販売システム７の関係者は、買い物リスト・個人情報を確認に上、注文された商品を購入した保護者の自宅に直送する手配を実行する。
【００６９】
なお、本発明は上記した実施例に限定されるものではなく、様々な変形例が含まれる。また、上記した実施例は本発明を分かりやすく説明するために詳細に説明したものであり、必ずしも説明した全ての構成を備えるものに限定されるものではない。また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。
【符号の説明】
【００７０】
１  移動体用電子タグ
２  携帯用通信端末
４１  携帯用通信端末
４２  設置型通信端末
５  サーバ
５１  通信インターフェース装置
５２  記憶装置
５３  演算装置
５３１  情報収集部
５３２  経路案内情報作成部
５３３  通知部
５３４  ネット注文受注部
６  アトラクション優先入場券発券システム
７  お土産販売システム
【図１】
2017199105.tif 000003
【図２】
2017199105.tif 000004
【図３】
2017199105.tif 000005
【図４】
2017199105.tif 000006
【図５】
2017199105.tif 000007
【図６】
2017199105.tif 000008